(57)【特許請求の範囲】
【請求項１】
コンパクトディスク等の円盤状記録媒体を箱型形状の本体の正面側から出し入れできるように正面の扉を開閉自由に設けると共に、円盤状記録媒体を着脱自由とする保持部を該本体の背部に設けた円盤状記録媒体の収納ケースであって、
前記保持部は、弾性変形により半径方向に伸縮可能とされた中央の頭部と、その頭部の仮想中心を中心として等角度で放射方向に延びる仮想線を挟むように夫々配置された左右一対の脚片とからなり、各脚片についてはその仮想線と直交する線上に配置された第１ヒンジにより一端を前記背部に連接されると共に、他端の薄肉に形成された第２ヒンジにより円盤状記録媒体の固定用穴を係止させるための係合溝が形成された前記頭部の周縁下方に夫々連接して一体に設けられ、
円盤状記録媒体の固定用穴を前記保持部の頭部に合わせて押圧することにより同記録媒体が固定され、他方、円盤状記録媒体が固定された保持部の頭部を押圧することにより、頭部を縮径させつつ沈ませて同記録媒体の固定状態が解放されるように構成したことを特徴とする円盤状記録媒体の収納ケース。
【請求項２】
コンパクトディスク等の円盤状記録媒体を箱型形状の本体の正面側から出し入れできるように正面の扉を開閉自由に設けると共に、円盤状記録媒体を着脱自由とする保持部を該本体の背部に設けた円盤状記録媒体の収納ケースであって、
前記保持部は、弾性変形により半径方向に伸縮可能とされた中央の頭部と、その頭部の仮想中心を中心として等角度で放射方向に延びる仮想線を挟むように夫々配置された左右一対の脚片とからなり、各脚片についてはその仮想線と直交する線上に配置された第１ヒンジにより一端を前記背部に連接されると共に、他端の薄肉に形成された第２ヒンジにより円盤状記録媒体の固定用穴を係止させるための係合溝が形成された前記頭部の周縁下方に夫々連接され、さらに、当該脚片に、円盤状記録媒体の固定用穴の周縁部下面に対応する突き上げ部を一体に形成してなり、
円盤状記録媒体の固定用穴を前記保持部の頭部に合わせて押圧することにより同記録媒体が固定され、他方、円盤状記録媒体が固定された保持部の頭部を押圧することにより、頭部を縮径させつつ沈ませると同時に、前記突き上げ部にて円盤状記録媒体の周縁部の下降を抑制して同記録媒体の固定状態が解放されるように構成したことを特徴とする円盤状記録媒体の収納ケース。
【請求項３】
コンパクトディスク等の円盤状記録媒体を箱型形状の本体の正面側から出し入れできるように正面の扉を開閉自由に設けると共に、円盤状記録媒体を着脱自由とする保持部を該本体の背部に設けた円盤状記録媒体の収納ケースであって、
前記保持部は、その中央の押圧部と、その押圧部の仮想中心を中心として等角度で放射方向に延びる仮想線を挟むように夫々配置された左右一対の脚片とからなり、各脚片についてはその仮想線と直交する線上に配置された第１ヒンジにより一端を前記背部に連接されると共に、他端の薄肉に形成された第２ヒンジにより前記押圧部の前記仮想線と同じ方向に弾性変形可能な側壁片に夫々連接され、さらに、当該脚片に、円盤状記録媒体の固定用穴を係止させるための係合溝が形成された環形片を前記押圧部の周囲に夫々配設してなり、
円盤状記録媒体の固定用穴を該環形片に合わせて押圧することにより同記録媒体が固定され、他方、円盤状記録媒体が固定された保持部の押圧部を押圧することにより、環形片を仮想中心側に変位させつつ沈ませて同記録媒体の固定状態が解放されるように構成したことを特徴とする円盤状記録媒体の収納ケース。
【請求項４】
コンパクトディスク等の円盤状記録媒体を箱型形状の本体の正面側から出し入れできるように正面の扉を開閉自由に設けると共に、円盤状記録媒体を着脱自由とする保持部を該本体の背部に設けた円盤状記録媒体の収納ケースであって、
前記保持部は、その中央の押圧部と、その押圧部の仮想中心を中心として等角度で放射方向に延びる仮想線を挟むように夫々配置された左右一対の脚片とからなり、各脚片についてはその仮想線と直交する線上に配置された第１ヒンジにより一端を前記背部に連接されると共に、他端の薄肉に形成された第２ヒンジにより前記押圧部の前記仮想線と同じ方向に弾性変形可能な側壁片に夫々連接され、さらに、当該脚片に、円盤状記録媒体の固定用穴を係止させるための係合溝が形成された環形片を前記押圧部の周囲に夫々配設すると共にその固定用穴の周縁部下面に対応する突き上げ部を一体に形成してなり、
円盤状記録媒体の固定用穴を該環形片に合わせて押圧することにより同記録媒体が固定され、他方、円盤状記録媒体が固定された保持部の押圧部を押圧することにより、環形片を仮想中心側に変位させつつ沈ませると同時に、前記突き上げ部にて円盤状記録媒体の周縁部の下降を抑制して同記録媒体の固定状態が解放されるように構成したことを特徴とする円盤状記録媒体の収納ケース。
【発明の詳細な説明】
【０００１】
【発明の属する技術分野】
本発明は、音楽や映像を記録したコンパクトディスク（ＣＤ）、デジタル バーサタイル ディスク（ＤＶＤ）等の円盤状記録媒体を収納するためのケースに関する。
【０００２】
【従来の技術】
従来の円盤状記録媒体の販売専用収納ケースとして、例えば、図９に示す合成樹脂製収納ケースａは、長方形のケース本体ｂと扉ｃとが一体成形され、そのケース本体ｂに円盤状記録媒体の固定用穴を嵌合させるための保持部ｄと同記録媒体の外周縁部を支持する円弧状突部ｈとが形成されている。その保持部ｄは、円盤状記録媒体の固定用穴の周縁部を載せるための座部ｅの上に頭部ｆを形成し、その頭部ｆの上面及び周縁下方から座部ｅに至る複数の渦形溝ｇを放射状に穿設することにより頭部ｆを半径方向に伸縮可能に設けている。
【０００３】
また、省資源、経済性等を鑑みて、販売用と展示用を兼ねた新しい形式のコンパクトな収納ケースが開発される傾向にある。この種の収納ケースとして、図１０に示す合成樹脂製収納ケースｉは、円盤状記録媒体を箱型形状の本体ｊの正面側と上面側から出し入れできるように正面の扉ｋと上面の蓋体ｌを夫々開閉自由に設けると共に、円盤状記録媒体を着脱自由とする保持部ｎを本体ｊの背部に設け、扉ｋの内面下部にストッパーｓを設けたものがある。その保持部ｎは、円盤状記録媒体の固定用穴を嵌める円弧形立上片ｏを等角度間隔で４カ所に配置し、中央の円形部ｐとそれら円弧形立上片ｏとを直線的に連結した形態とされている。
【０００４】
【発明が解決しようとする課題】
上記した従来の前者収納ケースａにおいては、保持部ｄの頭部ｆを押すことにより、頭部ｆが縮みつつ沈んで円盤状記録媒体の固定用穴との係合状態を解放するように構成されている。ところが、その頭部ｆの中央から少し外れた位置を押した場合には、保持部ｄの弾性変形作用に円滑さを欠いて円盤状記録媒体が頭部ｆから外れにくいということがある。
【０００５】
後者の収納ケースｉについては、円形部ｐを指で押したときに保持部ｎの半径方向の変形収縮量が非常に少ないことから、円盤状記録媒体の固定用穴が円弧形立上片ｏの突部に引っ掛かって簡単に外れなく、実用性に甚だ欠けるものであった。
【０００６】
この発明の目的は、円盤状記録媒体の着脱が円滑に行える保持部を備えた収納ケースを提供することにある。
【０００７】
【課題を解決するための手段】
前記目的を達成するために請求項１に記載の発明は、コンパクトディスク等の円盤状記録媒体を箱型形状の本体の正面側から出し入れできるように正面の扉を開閉自由に設けると共に、円盤状記録媒体を着脱自由とする保持部を該本体の背部に設けた円盤状記録媒体の収納ケースであって、前記保持部は、弾性変形により半径方向に伸縮可能とされた中央の頭部と、その頭部の仮想中心を中心として等角度で放射方向に延びる仮想線を挟むように夫々配置された左右一対の脚片とからなり、各脚片についてはその仮想線と直交する線上に配置された第１ヒンジにより一端を前記背部に連接されると共に、他端の薄肉に形成された第２ヒンジにより円盤状記録媒体の固定用穴を係止させるための係合溝が形成された前記頭部の周縁下方に夫々連接して一体に設けられ、円盤状記録媒体の固定用穴を前記保持部の頭部に合わせて押圧することにより同記録媒体が固定され、他方、円盤状記録媒体が固定された保持部の頭部を押圧することにより、頭部を縮径させつつ沈ませて同記録媒体の固定状態が解放されるように構成したことを特徴とする。
【０００８】
同様の目的を達成するために請求項２に記載の発明は、コンパクトディスク等の円盤状記録媒体を箱型形状の本体の正面側から出し入れできるように正面の扉を開閉自由に設けると共に、円盤状記録媒体を着脱自由とする保持部を該本体の背部に設けた円盤状記録媒体の収納ケースであって、前記保持部は、弾性変形により半径方向に伸縮可能とされた中央の頭部と、その頭部の仮想中心を中心として等角度で放射方向に延びる仮想線を挟むように夫々配置された左右一対の脚片とからなり、各脚片についてはその仮想線と直交する線上に配置された第１ヒンジにより一端を前記背部に連接されると共に、他端の薄肉に形成された第２ヒンジにより円盤状記録媒体の固定用穴を係止させるための係合溝が形成された前記頭部の周縁下方に夫々連接され、さらに、当該脚片に、円盤状記録媒体の固定用穴の周縁部下面に対応する突き上げ部を一体に形成してなり、円盤状記録媒体の固定用穴を前記保持部の頭部に合わせて押圧することにより同記録媒体が固定され、他方、円盤状記録媒体が固定された保持部の頭部を押圧することにより、頭部を縮径させつつ沈ませると同時に、前記突き上げ部にて円盤状記録媒体の周縁部の下降を抑制して同記録媒体の固定状態が解放されるように構成したことを特徴とする。
【０００９】
同様の目的を達成するために請求項３に記載の発明は、コンパクトディスク等の円盤状記録媒体を箱型形状の本体の正面側から出し入れできるように正面の扉を開閉自由に設けると共に、円盤状記録媒体を着脱自由とする保持部を該本体の背部に設けた円盤状記録媒体の収納ケースであって、前記保持部は、その中央の押圧部と、その押圧部の仮想中心を中心として等角度で放射方向に延びる仮想線を挟むように夫々配置された左右一対の脚片とからなり、各脚片についてはその仮想線と直交する線上に配置された第１ヒンジにより一端を前記背部に連接されると共に、他端の薄肉に形成された第２ヒンジにより前記押圧部の前記仮想線と同じ方向に弾性変形可能な側壁片に夫々連接され、さらに、当該脚片に、円盤状記録媒体の固定用穴を係止させるための係合溝が形成された環形片を前記押圧部の周囲に夫々配設してなり、円盤状記録媒体の固定用穴を該環形片に合わせて押圧することにより同記録媒体が固定され、他方、円盤状記録媒体が固定された保持部の押圧部を押圧することにより、環形片を仮想中心側に変位させつつ沈ませて同記録媒体の固定状態が解放されるように構成したことを特徴とする。
【００１０】
同様の目的を達成するために請求項４に記載の発明は、コンパクトディスク等の円盤状記録媒体を箱型形状の本体の正面側から出し入れできるように正面の扉を開閉自由に設けると共に、円盤状記録媒体を着脱自由とする保持部を該本体の背部に設けた円盤状記録媒体の収納ケースであって、前記保持部は、その中央の押圧部と、その押圧部の仮想中心を中心として等角度で放射方向に延びる仮想線を挟むように夫々配置された左右一対の脚片とからなり、各脚片についてはその仮想線と直交する線上に配置された第１ヒンジにより一端を前記背部に連接されると共に、他端の薄肉に形成された第２ヒンジにより前記押圧部の前記仮想線と同じ方向に弾性変形可能な側壁片に夫々連接され、さらに、当該脚片に、円盤状記録媒体の固定用穴を係止させるための係合溝が形成された環形片を前記押圧部の周囲に夫々配設すると共にその固定用穴の周縁部下面に対応する突き上げ部を一体に形成してなり、円盤状記録媒体の固定用穴を該環形片に合わせて押圧することにより同記録媒体が固定され、他方、円盤状記録媒体が固定された保持部の押圧部を押圧することにより、環形片を仮想中心側に変位させつつ沈ませると同時に、前記突き上げ部にて円盤状記録媒体の周縁部の下降を抑制して同記録媒体の固定状態が解放されるように構成したことを特徴とする。
【００１１】
【発明の作用及び効果】
（請求項１の発明）
円盤状記録媒体の固定用穴を保持部の頭部に合わせて押圧すると、頭部は弾性変形により縮径しつつ少し沈んでその固定用穴を通過させ、これとほぼ同時に、弾力作用によって元の拡径した状態に戻る。しかして、頭部の係合溝に固定用穴が係止されて円盤状記録媒体は固定される。
【００１２】
また、円盤状記録媒体が固定された保持部の頭部を指で押圧すると、頭部は弾性変形による縮径と第１ヒンジを支点とする傾動作用により沈んで、同記録媒体の固定用穴をくぐる。その押圧を止めると頭部は自身の弾力作用によって元の位置に戻り、固定用穴が係合溝から外れる。
【００１３】
（請求項２の発明）
円盤状記録媒体の固定作用については、上記請求項１の発明に述べた内容と同じである。
【００１４】
円盤状記録媒体が固定された保持部の頭部を指で押圧したときには、円盤状記録媒体は頭部と一緒に少し下降するが、固定用穴の周縁部の下面が突き上げ部に当接してそれ以上の下降を抑制されるため、頭部のみがさらに下降して固定用穴が係合溝から外れる。
【００１５】
上記請求項１及び２に記載の発明は、販売専用の収納ケースである。この収納ケースによれば、保持部の頭部が自身の弾性変形による縮径と、第１ヒンジ及び第２ヒンジを有する脚片の傾動作用により円滑に出没作動するので、円盤状記録媒体の着脱操作が非常に行い易い。
【００１６】
（請求項３の発明）
円盤状記録媒体の固定用穴を保持部の環形片に合わせて押圧すると、環形片は押圧部の側壁片の弾性変形により仮想中心側に変位しつつ少し沈んでその固定用穴を通過させ、これとほぼ同時に、側壁片の弾力作用によって元の拡径した状態に戻る。しかして、環形片の係合溝に固定用穴が係止されて円盤状記録媒体は固定される。
【００１７】
また、円盤状記録媒体が固定された保持部の押圧部を指で押圧すると、環形片は押圧部の側壁片の弾性変形により仮想中心側に変位しつつ第１ヒンジを支点とする傾動作用により沈んで、同記録媒体の固定用穴をくぐる。その押圧を止めると環形片は側壁片の弾力作用によって元の位置に戻り、固定用穴が係合溝から外れる。
【００１８】
（請求項４の発明）
円盤状記録媒体の固定作用については、上記請求項３の発明に述べた内容と同じである。
【００１９】
円盤状記録媒体が固定された保持部の押圧部を指で押圧したときには、円盤状記録媒体は環形片と一緒に少し下降するが、固定用穴の周縁部の下面が突き上げ部に当接してそれ以上の下降を抑制されるため、環形片（及び押圧部）のみがさらに下降して固定用穴が係合溝から外れる。
【００２０】
なお、環形片（及び押圧部）が開口部内に押し込まれた状態において、円盤状記録媒体をセットして同記録媒体の固定用穴の周縁部を押圧したときには、跳ね上がった突き上げ部が本体の背部側に押されて環形片（及び押圧部）を外に飛び出させる。このため、環形片の係合溝に固定用穴が係止されて円盤状記録媒体は固定される。
【００２１】
上記請求項３及び４に記載の発明は、販売専用の収納ケースである。この収納ケースによれば、保持部の環形片が押圧部の側壁片の弾性変形による変位と、第１ヒンジ及び第２ヒンジを有する脚片の傾動作用により円滑に出没作動するので、円盤状記録媒体の着脱操作が非常に行い易い。
【００２２】
【発明の実施の形態】
以下に、本発明の実施の形態例を図面に基づいて説明する。図１から図５は第１の実施の形態例、図６から図８は第２の実施の形態例にかかるものである。図１は収納ケースの扉を開いた状態を示す正面図、図２は収納ケースの扉を閉じた状態の縦断側面図、図３は保持部の正面図、図４は図３の要部の断面図、図５は図４に示す保持部が押し込まれて格納された状態を示す説明図、図６は保持部の正面図、図７は図６の要部の断面図、図８は図７に示す保持部が押し込まれて格納された状態を示す説明図である。
【００２３】
図１に示す第１の実施の形態例である円盤状記録媒体の収納ケースＣは、箱型形状の本体１と扉２１及び上面の蓋体２５とを合成樹脂材料により一体成形されている。
その本体１には、長方形の背部２の中央下方にコンパクトディスク等の円盤状記録媒体ｘの固定用穴ｙを嵌着させるための保持部５を設け、その背部２に右側片２ａと底片２ｂとが一体に形成されている。３は円盤状記録媒体ｘの外周縁部を支持するための円弧状突部であり、背部２に一体に形成されている。
【００２４】
その保持部５については、図３及び図４に示すように、本体１の背部２の中央に配置された円形座部２ｃに形成された開口部４に、円形状頭部１０の仮想中心（イ）を中心として等角度、この例では１２０°間隔で放射方向に延びる仮想線（ロ）を挟むように左右一対の脚片７、７を夫々配置している。各脚片７は、その仮想線（ロ）と直交する線（ハ）上に配置された第１ヒンジ６により一端７ａを前記開口部４の内端に連接されると共に、その他端７ｂに第１ヒンジ６の向きと同一方向で薄肉に形成された第２ヒンジ８により頭部１０の周縁１０ａの下方に夫々一体状に連接することにより設けられている。９は左右一対の脚片７、７の対向する側面７ｃ、７ｃに差し渡すように一体に形成された突き上げ部であって、これらの突き上げ部９は、円盤状記録媒体ｘの固定用穴ｙの周縁部下面に対応するように設けられている（図４）。
【００２５】
また、頭部１０は、中央のほぼ三角形の押圧部１１の各辺に沿うように深く形成された凹溝１２を介して環形片１３を配置すると共に、該押圧部１１の裏面に窪み１４を適宜形成することにより半径方向に伸縮可能に設けられている。１５は円盤状記録媒体ｘの固定用穴ｙを係止するために頭部１０の周囲に設けられた係合溝である。
【００２６】
上記本体１の左側縁には薄肉に形成したヒンジ１８により側片１９の一側縁を連接し、該側片１９の他側縁には同様のヒンジ２０により正面の扉２１を一体状に連接して同扉２１を開閉可能に設ける。この扉２１は、上方を開放し右側片２１ａと底片２１ｂが一体に形成されている。
【００２７】
２５は前記背部２の上縁部に薄肉に形成された主ヒンジ２４により一体状に連接された蓋体であって、前記背部２、右側片２ａ、側片１９と扉２１により四方を囲まれて形成される上面開口２３を開閉するためのものである。
【００２８】
次に、上記構成になる収納ケースＣの作動、取り扱い方について説明する。
（１）円盤状記録媒体ｘの固定用穴ｙを保持部５の頭部１０に合わせて押圧部１１を押圧すると、頭部１０は弾性変形により縮径しつつ少し沈んでその固定用穴ｙを通過させる。これとほぼ同時に、頭部１０が弾力作用によって元の拡径した状態に戻るため、円盤状記録媒体ｘは係合溝１５に固定用穴ｙを係止される。
（２）円盤状記録媒体ｘが固定された頭部１０の押圧部１１を指で押圧すると、頭部１０が、弾性変形による縮径と、脚片７の第１ヒンジ６・第２ヒンジ８の弾性変形及び第１ヒンジ６を支点とする傾動作用により沈んで、同記録媒体の固定用穴ｙをくぐる。その押圧を止めると、頭部１０は自身及び脚片７部分の弾力作用によって元の位置に戻る。円盤状記録媒体ｘの中央部分は頭部１０と一緒に少し下降するが、固定用穴ｙの周縁部の下面が突き上げ部９に当接して下降が抑制されるため、頭部１０のみがさらに下降して固定用穴ｙから外れて固定状態を解放する。
（３）また、頭部１０の押圧部１１を強く大きいストロークにて押圧すると、脚片７は第１ヒンジ６を支点として約６１°の角度まで回転し、その当接部７ｄが開口部４の内面に当接してその位置に保持される。その結果、図５に示すように、頭部１０は、円盤状記録媒体ｘの固定を解いた位置からさらに沈んで開口部４に小嵩に格納される。
【００２９】
次に、第２の実施の形態例である円盤状記録媒体の収納ケースＥについて述べる。この収納ケースＥにおいて、円盤状記録媒体ｘを着脱自由とする保持部１０５以外の構成については、前記第１の実施の形態例である収納ケースＣと全く同じであることから、保持部１０５の構成についてのみ詳しく説明する。
【００３０】
図６に示すように、箱型形状の本体の背部１０２の中央に配置された保持部１０５は、円形座部１０２ｃに形成した開口部１０４の中央に、ほぼ三角形の押圧部１１０の仮想中心（イ）を中心として等角度、この例では１２０°間隔で放射方向に延びる仮想線（ロ）を挟むように左右一対の脚片１０７、１０７を３カ所に配置している。図７に示すように、各脚片１０７は、その仮想線（ロ）と直交する線（ハ）上に配置された第１ヒンジ１０６により一端１０７ａを前記開口部１０４の内端に連接されると共に、その他端１０７ｂの第１ヒンジ１０６の向きと同一方向で薄肉に形成された第２ヒンジ１０８によって前記押圧部１１０の前記仮想線（ロ）と同じ方向に弾性変形可能に形成された側壁片１１１の下端１１１ａに夫々連接されている。
【００３１】
１１３は円盤状記録媒体ｘの固定用穴ｙを係止させるための係合溝１１５が形成された環形片であり、その環形片１１３は、第２ヒンジ１０８から外方に形成された凹溝１１２を介して一対の脚片１０７、１０７に夫々配設されている。１０９は左右一対の脚片１０７、１０７の後部に差し渡すように一体に形成された突き上げ部であって、これらの突き上げ部１０９は、円盤状記録媒体ｘの固定用穴ｙの周縁部下面に対応するように設けられている。１１４は押圧部１１０の裏面に形成された窪みである。
【００３２】
しかして、この保持部１０５については、押圧部１１０を指で押圧したときに、環形片１１３が側壁片１１１の弾性変形により仮想中心（イ）側に変位しつつ第１ヒンジ１０６を支点とする傾動作用により沈んで円盤状記録媒体ｘの固定用穴ｙをくぐり、その押圧を止めたときに、環形片１１３が側壁片１１１の弾力作用によって元の位置に戻るように構成される。
【００３３】
さらに、押圧部１１０を強く大きいストロークにて押圧したときには、大きく傾動した脚片１０７の当接部１０７ｄが開口部１０４の内面に当接してその位置に保持され、図８に示すように、押圧部１１０及び環形片１１３が、円盤状記録媒体ｘの固定を解いた位置からさらに沈んで開口部１０４に小嵩に格納されるように設けられている。
【００３４】
１４０は押圧部１１０の窪み１１４に取り付けたロック部材である（図７）。このロック部材１４０を用いることにより、円盤状記録媒体ｘを収めた収納ケースをメーカーから出荷する際に保持部１０５が何らかの外力により動いて円盤状記録媒体ｘが係合溝１１５から外れるという事態を防止することができる。
【００３５】
なお、前記押圧部１１０の側壁片１１１は薄い平板形であるが、これを例えば、Ｕ字形としてその上部に第２ヒンジを設ける構成とすることも可能である。また、押圧部１１０と背部１０２のと間には脚片１０７を一つずつ設けているが、開口部１０４の内面側にもう一つ脚片を形成してヒンジ部分を３又は４カ所とし、二つの脚片を「くの字形」に変形させて押圧部及び環形片を開口部に格納する構成にすることもできる。
【００３６】
上記した第２の実施の形態例における収納ケースＥの取り扱い方については、上記した第１の実施の形態例である円盤状記録媒体の収納ケースＣに準じて行う。
【００３７】
以上のとおり、これらの円盤状記録媒体の収納ケースは、保持部が円滑に出没作動するので、円盤状記録媒体の着脱操作が非常に行い易い。
【図面の簡単な説明】
図１から図５は第１の実施の形態例にかかる収納ケース、図６から図８は第２の実施の形態例にかかる収納ケースである。
【図１】収納ケースの扉を開いた状態を示す正面図
【図２】収納ケースの扉を閉じた状態の縦断側面図
【図３】保持部の正面図
【図４】図３の要部の断面図
【図５】図４に示す保持部が押し込まれて格納された状態を示す説明図
【図６】保持部の正面図
【図７】図６の要部の断面図
【図８】図７に示す保持部が押し込まれて格納された状態を示す説明図
【図９】従来の販売専用収納ケース
【図１０】従来の収納ケース
【符号の説明】
ｘ→円盤状記録媒体  ｙ→固定用穴
Ｃ→円盤状記録媒体の収納ケース（第１の実施の形態例）
Ｅ→円盤状記録媒体の収納ケース（第２の実施の形態例）
１→本体
２、１０２→背部
４、１０４→開口部
５、１０５→保持部
（イ）→仮想中心  （ロ）→仮想線  （ハ）→線
６、１０６→第１ヒンジ
７、１０７→脚片
８、１０８→第２ヒンジ
９、１０９→突き上げ部
１０→頭部
１０ａ→周縁
１１→押圧部（第１の実施の形態例）
１１０→押圧部（第２の実施の形態例）
１１１→側壁片
１２、１１２→凹溝
１３、１１３→環形片
１４、１１４→窪み
１５、１１５→係合溝
２１→扉
【図１】
0003615711.tif 000002
【図２】
0003615711.tif 000003
【図３】
0003615711.tif 000004
【図４】
0003615711.tif 000005
【図５】
0003615711.tif 000006
【図６】
0003615711.tif 000007
【図７】
0003615711.tif 000008
【図８】
0003615711.tif 000009
【図９】
0003615711.tif 000010
【図１０】
0003615711.tif 000011